(57)【要約】      （修正有）【課題】美観を損なうことなく、家具類に電力を供給しつつ強い地震に対しても家具類を確実に支えることができる家具類の転倒防止給電装置を提供する。【解決手段】壁体２ａに固定されたコンセント３と、該コンセントに着脱自在に差し込まれるとともに、前記コンセントと係合するロック機構を備えるプラグ５と、該プラグに接続されて、家具類６に給電する補強電線７と、該補強電線が接続される家具類に設けられて、前記補強電線を張設する張設機構８とを備えるので、地震による振動に対して家具類６が、壁体２ａに強固に取り付けられたコンセント３に抜けないように差し込まれたプラグ５から張った状態で家具類６まで延びる補強電線７により支えられて、家具類６の転倒を確実に防止することができる。【選択図】図１
2007229380.tif 000002
【特許請求の範囲】
【請求項１】
建造物の躯体に固定されたコンセントと、
該コンセントに着脱自在に差し込まれるとともに、前記コンセントと係合するロック機構を備えるプラグと、
該プラグに接続されて、被転倒防止家具類に給電する補強電線と、
該補強電線が接続される被転倒防止家具類に設けられて、前記補強電線を張設する張設機構と、
を備えることを特徴とする家具類の転倒防止給電装置。
【請求項２】
前記躯体が、前記コンセントを固定する固定機構を備えることを特徴とする請求項１に記載の家具類の転倒防止給電装置。
【請求項３】
前記固定機構が、前記コンセントを装着するベース板と、該ベース板にスライド可能に設けられて前記コンセントのコンセントケース本体を外側より挟持固定するコンセント固定爪とを備えることを特徴とする請求項２に記載の家具類の転倒防止給電装置。
【請求項４】
前記ロック機構が、前記コンセントと前記プラグとのいずれか一方から他方に突出する固定爪と、前記他方に設けられて前記固定爪が侵入係合する係合穴とを備えることを特徴とする請求項１乃至３のいずれか１項に記載の家具類の転倒防止給電装置。
【請求項５】
前記補強電線が、少なくとも給電線と、補強用ケーブルとを備え、該補強用ケーブルの端部が前記プラグのプラグケース本体に固定していること特徴とする請求項１乃至４のいずれか１項に記載の家具類の転倒防止給電装置。
【請求項６】
前記張設機構が、前記補強電線を巻き取る巻き取り部と、該巻き取り状態を保持するロック部とを備えることを特徴とする請求項１乃至５のいずれか１項に記載の家具類の転倒防止給電装置。
【発明の詳細な説明】
【技術分野】
【０００１】
本発明は、本棚、冷蔵庫などの家具類に電力を供給しつつ該家具類が転倒することを防止する家具類の転倒防止給電装置に関するものである。
【背景技術】
【０００２】
従来、本棚、冷蔵庫などの家具類が地震による震動で転倒することを防止する装置としては、例えば特許文献１に記載されているように、家具類の上面と天井面との間に伸縮可能の支柱を挟み込む転倒防止装置が知られている。
【０００３】
また、テレビジョンなど小型の電気機器などの家具類であれば、特許文献２に記載されているように、電気機器から延びる電源コードを被載置体に設けたフック部に巻き付けて、電気機器などの家具類を被載置体上に固定するようにした固定構造が知られている。
【特許文献１】実公昭５９−４２９３０号公報
【特許文献２】特開２００４−２９７２５２号公報
【発明の開示】
【発明が解決しようとする課題】
【０００４】
上記従来の伸縮可能の支柱を家具類の上面と天井面との間に挟み込む転倒防止装置では、室内の美観を損なう問題があり、また、電気機器から延びる電源コードを被載置体に設けたフック部に巻き付けて電気機器を被載置体上に固定する固定構造では、電源コードに大きな力が作用して該電源コードが切れた場合には、電気機器などの家具類を確実に固定できない問題があった。
【０００５】
よって本発明は、上記した問題点に鑑みなされたもので、美観を損なうことなく、家具類に電力を供給しつつ強い地震に対しても家具類を確実に支えることができる家具類の転倒防止給電装置を提供するものである。
【課題を解決するための手段】
【０００６】
上記課題を解決するため本発明によりなされた請求項１に記載の家具類の転倒防止給電装置は、建造物の躯体に固定されたコンセントと、該コンセントに着脱自在に差し込まれるとともに、前記コンセントと係合するロック機構を備えるプラグと、該プラグに接続されて、被転倒防止家具類に給電する補強電線と、該補強電線が接続される被転倒防止家具類に設けられて、前記補強電線を張設する張設機構と、を備えることを特徴とする。
【０００７】
請求項２に記載の発明は、請求項１に記載の家具類の転倒防止給電装置において、前記躯体が、前記コンセントを固定する固定機構を備えることを特徴する。
【０００８】
上記請求項３に記載の発明は、請求項２に記載の家具類の転倒防止給電装置において、前記固定機構が、前記コンセントを装着するベース板と、該ベース板にスライド可能に設けられて前記コンセントのコンセントケース本体を外側より挟持固定するコンセント固定爪とを備えることを特徴とする。
【０００９】
上記請求項４に記載の発明は、請求項１乃至３のいずれか１項に記載の家具類の転倒防止給電装置において、前記ロック機構が、前記コンセントと前記プラグとのいずれか一方から他方に突出する固定爪と、前記他方に設けられて前記固定爪が侵入係合する係合穴とを備えることを特徴とする。
【００１０】
上記請求項５に記載の発明は、請求項１乃至４のいずれか１項に記載の家具類の転倒防止給電装置において、前記補強電線が、少なくとも給電線と、補強用ケーブルとを備え、該補強用ケーブルの端部が前記プラグのプラグケース本体に固定していること特徴とする。
【００１１】
上記請求項６に記載の発明は、請求項１乃至５のいずれか１項に記載の家具類の転倒防止給電装置において、前記張設機構が、前記補強電線を巻き取る巻き取り部と、該巻き取り状態を保持するロック部とを備えることを特徴とする。
【発明の効果】
【００１２】
以上説明したように請求項１に記載した本発明の家具類の転倒防止給電装置によれば、建造物の躯体に固定されたコンセントと、該コンセントに着脱自在に差し込まれるとともに、前記コンセントと係合するロック機構を備えるプラグと、該プラグに接続されて、被転倒防止家具類に給電する補強電線と、該補強電線が接続される被転倒防止家具類に設けられて、前記補強電線を張設する張設機構と、を備えるので、建造物の躯体に固定されたコンセントに差し込まれてロック機構によりコンセントからの抜けが防止されたプラグから延びる補強電線を被転倒防止家具類の張設機構により張った状態でコンセントから被転倒防止家具類まで設けることができ、そのために、コンセントから被転倒防止家具類まで張った状態で延びる補強電線により、美観を損なうことなく、家具類に電力を供給しつつ強い地震に対しても家具類を確実に支えて、家具類の転倒を防止することができる。また、家具類に電力を供給するコンセント、プラグ及び補強電線を利用することにより、別途耐震補強具などを用意することなく、容易に家具類を支えて、家具類の転倒を確実に防止することができる。
【００１３】
請求項２に記載の発明によれば、前記躯体が、前記コンセントを固定する固定機構を備えるので、建造物の躯体にコンセントを強固に固定することができ、そのために、コンセントそのものが抜け落ちてしまうことを防ぐことができ、補強電線で家具類を確実に支えて家具類の転倒を防ぐことができる。
【００１４】
請求項３に記載の発明によれば、前記固定機構が、前記コンセントを装着するベース板と、該ベース板にスライド可能に設けられて前記コンセントのコンセントケース本体を外側より挟持固定するコンセント固定爪とを備えるので、躯体にコンセントを強固に固定することができ、コンセントに抜けないように差し込まれたプラグにコンセントからプラグを無理矢理抜くような引っ張り力が作用する場合でも、プラグがコンセントから抜けないで躯体が破壊されてコンセントそのものが抜け落ちてしまうことを防ぐことができ、そのために、補強電線で家具類を確実に支えて家具類の転倒を防ぐことができる。
【００１５】
請求項４に記載の発明によれば、前記ロック機構が、前記コンセントと前記プラグとのいずれか一方から他方に突出する固定爪と、前記他方に設けられて前記固定爪が侵入係合する係合穴とを備えるので、プラグとコンセントとが相互に強固に結合するようになってプラグの抜けを防止でき、そのために、地震により家具類が振動してプラグに無理な引っ張り力が作用する場合でも、プラグがコンセントから抜けないことにより、プラグに接続された補強電線で家具類を確実に支えて家具類の転倒を防ぐことができる。
【００１６】
請求項５に記載の発明によれば、前記補強電線が、少なくとも給電線と、補強用ケーブルとを備え、該補強用ケーブルの端部が前記プラグのプラグケース本体に固定しているので、家具類を支える補強電線で家具類に電力も供給することができ、さらに、補強電線に補強用ケーブルが組み込まれ、該補強用ケーブルの端部がプラグに固定されることにより、補強電線に無理な引っ張り力が作用しても補強電線が切断するおそれがなく、しかも、プラグから補強電線が抜けるおそれもなく、そのために、補強電線で家具類を確実に支えて家具類の転倒を防ぐことができる。
【００１７】
請求項６に記載の発明によれば、前記張設機構が、前記補強電線を巻き取る巻き取り部と、該巻き取り状態を保持するロック部とを備えるので、躯体のコンセントから家具類に延びる補強電線を緩まないで張った状態で配設することができ、そのために、補強電線で家具類を確実に支えて家具類の転倒を防ぐことができる。
【発明を実施するための最良の形態】
【００１８】
以下、本発明に係る家具類の転倒防止給電装置の一実施の形態を説明する。図１は本発明の概略構成図、図２は躯体へのコンセントの固定方法を説明する側面図、図３はコンセントの正面図、図４は前記コンセントに差し込まれるプラグ及び該プラグに接続された補強電線を説明する概略構成図、図５はプラグの正面図、図６は前記補強電線の張設機構が設けられた家具類の概略図、図７は前記張設機構を説明する概略構成図である。
【００１９】
図１に示すように、家具類の転倒防止給電装置１は、建造物の躯体２に固定されたコンセント３と、該コンセント３に着脱自在に差し込まれるとともに、前記コンセント３と係合する後述するロック機構４を備えるプラグ５と、該プラグ５に接続されて、被転倒防止家具類６に給電する補強電線７と、該補強電線７が接続される被転倒防止家具類６に設けられて、前記補強電線７を張設する張設機構８と、を備えている。前記躯体２は、家屋などの建造物を構造的に支えるように頑丈に形成されたものであれば、壁体、柱などでよい。
【００２０】
図２及び図３に示すように、前記躯体２としての壁体２ａの裏面側には、建造物の内部に配索された電力線９に接続されたコンセント３が２つ縦方向に並んで壁体２ａに形成された開口２ｂに臨むように配設されている。なお、前記コンセント３の数は、必要に応じて増減でき、また、コンセント３をその設置場所に応じて横方向に並んで設けてもよい。
【００２１】
前記壁体２ａの開口２ｂには、前記コンセント３を壁体２ａに固定する固定機構１０として、コンセント３を装着するベース板１０ａが開口２ｂを塞ぐように設けられている。前記ベース板１０ａは、前記壁体２ａの裏面に裏打ちされた壁補強板１０ｂに螺子１０ｃによって固定的に取り付けられて、壁体２ａには直接取り付けられていない。そのために、コンセント３が装着されるベース板１０ａに大きな力が作用すると、該力が壁体２ａに分散して作用するようになり、よって、壁体２ａの破損を防ぐようになっている。前記ベース板１０ａ及び壁補強板１０ｂは、例えば頑丈な金属板から形成されている。
【００２２】
前記コンセント３は、絶縁性の合成樹脂から形成された箱状のコンセントケース本体３ａを有し、該コンセントケース本体３ａの内部には、導電性の板金から形成されて前記電力線９が接続された受け接触子（図示せず）が配設されている。前記コンセントケース本体３ａのプラグ５側の連結面３ｂには、プラグ５の端子５ａが挿入される孔３ｃが２つ形成され、該孔３ｃにプラグ５の端子５ａが差し込まれて前記受け接触子と電気的に接触するようになっている。また、前記連結面３ｂには、前記プラグ５に設けられたアース端子５ｂが挿入される孔３ｄも形成されている。さらに、前記連結面３ｂには、コンセント３とプラグ５とのロック機構４を構成するプラグ５に突設された固定爪４ａが侵入係合する係合穴４ｂが形成されている。なお、プラグ５の端子５ａが挿入される孔３ｃは、端子５ａの数に合わせて３つ以上に形成してもよく、アース端子５ｂが挿入される孔３ｄは、プラグ５にアース端子５ｂが無ければ形成する必要がない。
【００２３】
また、前記コンセントケース本体３ａのプラグ５側には、フランジ部３ｅが形成されて、該フランジ部３ｅよりプラグ５側に位置するコンセントケース本体３ａの先端部両側には、前記ベース板１０ａにスライド可能に設けられてコンセントケース本体３ａを外側より挟持固定するコンセント固定爪１０ｄが嵌合される嵌合穴３ｆが形成されている。
【００２４】
即ち、前記コンセント３を壁体２ａに強固に固定するために前記ベース板１０ａにコンセント３を固定的に装着するには、ベース板１０ａに２つ縦方向に並んで形成されたコンセント用開口１０ｅ内にそれぞれコンセントケース本体３ａの先端部が臨むようにコンセントケース本体３ａを配置し、前記コンセント用開口１０ｅの両側部分でベース板１０ａの裏面側にベース板１０ａに対してベース板に形成された長孔１０ｆに沿ってスライド可能に設けられた前記一対のコンセント固定爪１０ｄをコンセントケース本体３ａの先端部両側に形成された前記嵌合穴３ｆに嵌合させる（図３の上方に位置するコンセント３を参照）。そして、その状態でコンセント固定爪１０ｄに設けられた固定螺子１０ｇを締め付け、コンセント固定爪１０ｄでコンセントケース本体３ａを外側より挟持固定した状態でコンセント固定爪１０ｄをベース板１０ａに固定的に取り付ける。
【００２５】
これにより、壁体２ａに固定的に取り付けられたベース板１０ａにコンセント３を固定的に装着することができ、コンセント３にプラグ５側に引っ張られるような大きな力が作用するような場合でも、コンセント３を両側より挟持固定する固定爪１０ｄがコンセントケース本体３ａのフランジ部３ｅと係合するので、コンセント３がベース板１０ａからプラグ５側に外れることがない。なお、前記コンセント３が装着されたベース板１０ａの表面側の壁体２ａの表面には、コンセント３に対応した位置に開口を有する化粧板１０ｈが取り付けられている。
【００２６】
図４及び図５に示すように、壁体２ａに固定されたコンセント３に着脱自在に差し込まれるプラグ５は、絶縁性の合成樹脂から形成された箱状のプラグケース本体５ｃを有するとともに、該プラグケース本体５ｃの外方に突出して平行に配置された前記一対の端子５ａを有している。前記プラグケース本体５ｃは、一方と他方のハウジング５ｄ、５ｅからなる二つ割り構造で、前記ハウジング５ｄ、５ｅが対向配置された状態で図示しない螺子により締め付け固定される。
【００２７】
前記端子５ａは、導電性の板金から形成されて、端子５ａの長手方向一方側がプラグケース本体５ｃから外方に突出し、他方側がプラグケース本体５ｃの内部に収納されている。プラグケース本体５ｃの内部に収納された前記端子５ａの他方側には、プラグ５に接続されて、被転倒防止家具類６に給電する補強電線７の内部に組み込まれた給電線７ａの芯線７ｂが螺子７ｃにより締め付けられて、端子５ａと給電線７ａとが電気的に接続されている。なお、前記端子５ａの数は３つ以上でもよく、その場合には端子５ａと接続される給電線７ａの数も３本以上になる。
【００２８】
また、前記プラグ５には、アース端子５ｂが設けられ、該アース端子５ｂに接続されたアース線７ｄも前記補強電線７の内部に組み込まれている。さらに、前記補強電線７の内部には、金属製のワイヤなどで形成された補強用ケーブル７ｅも組み込まれ、該補強用ケーブル７ｅの端部に形成されたリング状部７ｆが前記プラグケース本体５ｃのハウジング５ｄ、５ｅを締め付け固定する図示しない螺子が挿通するボス部５ｆに係止されて固定されることにより、補強用ケーブル７ｅがプラグケース本体５ｃに固定されている。なお、前記補強用ケーブル７ｅの端部をプラグケース本体５ｃのハウジング５ｄ、５ｅで直接挟み込んで螺子で締め付け固定するようにしてもよく、また、前記プラグ５にアース端子５ｂが無い場合には、補強電線７にアース線７ｄは組み込まれていない。
【００２９】
さらに、前記プラグ５には、コンセント３に差し込まれたプラグ５の抜けを防止するためのロック機構４として、コンセント３に向けて突出した固定爪４ａが設けられ、該固定爪４ａが前記コンセント３のコンセントケース本体３ａのプラグ５側連結面３ｂに形成された係合穴４ｂに侵入係合するようになっている。前記固定爪４ａは前記プラグケース本体５ｃからコンセント３側に突出する固定ピン４ｃの先端部から横方に突出して形成され、該固定爪４ａとコンセント３の係合穴４ｂとを一致させた状態でプラグ５をコンセント３に差し込み、その後差し込んだプラグ５を回転させることにより、プラグ５の固定爪４ａがコンセント３の係合穴４ｂの内面に形成された段部４ｄと係合して、コンセント３に差し込まれたプラグ５の抜けが防止されるようになっている。なお、前記固定爪４ａをコンセント３側に設けて、該固定爪４ａが侵入係合する係合穴４ｂをプラグ５側に設けてもよい。
【００３０】
図６及び図７に示すように、前記壁体２ａに固定された前記コンセント３に差し込まれて、前記ロック機構４によりコンセント３からの抜けが防止された前記プラグ５から延びる前記補強電線７が接続される被転倒防止家具類６には、補強電線７を張設する張設機構８が設けられている。なお、前記被転倒防止家具類６としては、前面にコンセントを備えた本棚や、電気機器としての冷蔵庫など、電力の供給を必要とする様々な家具類がある。
【００３１】
前記被転倒防止家具類６の張設機構８は、家具類６の側面上部に回転可能に設けられた巻き取り部としてのリール８ａを有し、該リール８ａには、家具類６に向けて延びる補強電線７の終端部が固着されている。リール８ａには回転ハンドル８ｂが設けられ、該回転ハンドル８ｂを時計方向に回転することにより、リール８ａに補強電線７を巻き付けて、コンセント３から家具類６に向けて延びる補強電線７が張った状態で配設されるようになっている。
【００３２】
また、前記リール８ａの内周部には回転防止爪８ｃが設けられ、該回転防止爪８ｃにロック部としてのストッパ８ｄが係止することにより、リール８ａが反時計方向に回転して巻き取って張った状態にある補強電線７が緩まないようになっている。前記ストッパ８ｄは、前記回転ハンドル８ｂの端部に前記回転防止爪８ｃに向けて突出するように取り付けられ、リール８ａの長孔８ｅに沿ってリール８ａの径方向に移動可能な前記回転ハンドル８ｂを移動させることにより、ストッパ８ｄと回転防止爪８ｃとを係止させたりその係止状態を解除するようになっている。
【００３３】
次に、この実施の形態の作用を説明する。図１に示すように、本棚、冷蔵庫などの被転倒防止家具類６を室内の壁体２ａに沿って設置する場合、壁体２ａからある程度離れて被転倒防止家具類６を設置する。該被転倒防止家具類６に電力を供給するために家具類６の背面側に延びる補強電線７を壁体２ａに向けて延ばし、補強電線７の先端部に取り付けられたプラグ５を壁体２ａに設けられたコンセント３に差し込む。プラグ５をコンセント３に差し込んだ後プラグ５を回転させることにより、プラグ５の固定爪４ａがコンセント３の係合穴４ｂの内面に形成された段部４ｄと係合して、コンセント３に差し込まれたプラグ５の抜けが防止される。次に、被転倒防止家具類６に取り付けられ前記補強電線７の終端部が固着されたリール８ａを時計方向に回転させてリール８ａに補強電線７を巻き付け、壁体２ａのコンセント３から家具類６まで延びる補強電線７を張った状態に配設する。その際、リール８ａの回転防止爪８ｃにストッパ８ｄを係止させて、巻き取って張った状態にある補強電線７が緩まないようにする。
【００３４】
ここで、前記コンセント３は、壁体２ａに補強して取り付けられたベース板１０ａに固定的に取り付けられて壁体２ａには直接取り付けられていないので、コンセント３に差し込まれたプラグ５に大きな引っ張り力が作用した場合でも、該引っ張り力はコンセント３が取り付けられたベース板１０ａに作用して、該力がベース板１０ａ及び壁補強板１０ｂを介して壁体２ａに分散して作用するようになり、そのために、壁体２ａが破損してコンセント３が抜け落ちることがない。
【００３５】
このような状態で地震が発生すると、本実施形態による家具類の転倒防止給電装置１によれば、地震による振動に対して家具類６が、壁体２ａに強固に取り付けられたコンセント３に抜けないように差し込まれたプラグ５から張った状態で家具類６まで延びる補強電線７により支えられて、家具類６の転倒を確実に防止することができる。また、前記補強電線７は家具類６の背面側から壁体２ａに延びているので、美観を損なうことなく家具類６を支えることができる。さらに、家具類６への電力供給を行う補強電線７を耐震用に利用することにより、別途耐震補強具などを用意することなく、容易に家具類６を支えることができる。なお、本棚や冷蔵庫などの背の高い家具類６を補強電線７で支える場合には、壁体２ａに取り付けられるコンセント３をなるべく高い位置に取り付ける方が家具類６を安定的に支える上で好ましい。
【００３６】
また、壁体２ａが、コンセント３を固定する固定機構１０としてのベース板１０ａと、該ベース板１０ａにスライド可能に設けられてコンセント３のコンセントケース本体３ａを外側より挟持固定するコンセント固定爪１０ｄとを有するので、壁体２ａにコンセント３を強固に固定することができ、プラグ５にコンセント３からプラグ５を無理矢理抜くような引っ張り力が作用する場合でも、プラグ５がコンセント３から抜けないで壁体２ａが破壊されてコンセント３そのものが抜け落ちてしまうことを防ぐことができ、そのために、補強電線７で家具類６を確実に支えて家具類６の転倒を防ぐことができる。
【００３７】
さらに、前記コンセント３に差し込まれたプラグ５が抜けないようにするロック機構４が、プラグ５に突設された固定爪４ａと、該固定爪４ａが侵入係合するコンセント３に形成された係合穴４ｂとを有するので、プラグ５とコンセント３とが相互に強固に結合するようになってプラグ５の抜けを防止でき、そのために、地震により家具類６が振動してプラグ５に無理な引っ張り力が作用する場合でも、プラグ５がコンセント３から抜けないことにより、プラグ５に接続された補強電線７で家具類６を確実に支えて家具類６の転倒を防ぐことができる。
【００３８】
また、前記補強電線７が少なくとも給電線７ａと補強用ケーブル７ｅとを有し、該補強用ケーブル７ｄの端部が前記プラグ５のプラグケース本体５ｃに固定しているので、家具類６を支える補強電線７で家具類６に電力も供給することができ、さらに、補強電線７に補強用ケーブル７ｅが組み込まれ、該補強用ケーブル７ｅの端部がプラグ５に固定されることにより、補強電線７に無理な引っ張り力が作用しても補強電線７が切断するおそれがなく、しかも、プラグ５から補強電線７が抜けるおそれもなく、そのために、補強電線７で家具類６を確実に支えて家具類６の転倒を防ぐことができる。
【００３９】
さらに、前記家具類６に設けた張設機構８が前記補強電線７を巻き取るリール８ａと、リール８ａに巻き取った状態を保持するストッパ８ｄとを有するので、壁体２ａのコンセント３から家具類６に延びる補強電線７を緩まないで張った状態で配設することができ、そのために、補強電線７で家具類６を確実に支えて家具類６の転倒を防ぐことができる。
【００４０】
なお、前記した実施形態は、本発明の代表的な形態を示したに過ぎず、本発明は前記実施形態に限定されるものではなく、本発明の骨子を逸脱しない範囲で種々変形することができる。
【００４１】
即ち、前記した実施形態では、被転倒防止家具類６として室内に設置される本棚や冷蔵庫などを例に説明したが、店舗の前に設置される自動販売機など屋外に設置される家具類６にも対応可能である。また、被転倒防止家具類６に接続される補強電線７として、電線の内部に補強用ケーブルを組み込まずに電線の周囲を金属製のメッシュで保護強化したものや、電線自体を太く形成したものでもよい。さらに、壁体２ａにコンセント３を固定する固定機構１０としては様々な構造が考えられ、要は、コンセント３に作用する外力によりコンセント３が躯体２から抜け落ちる事態が生じないようにコンセント３を躯体２に強固に固定できる構造であれば、いかなる構造でもよい。
【００４２】
また、コンセント３とプラグ５とのロック機構４としては、コンセント３からプラグ５が抜けるのを防止する構造であれば、図８に示すように、プラグ５の平刃部４ｅをコンセント３の受け孔４ｆ内で挟んで抜けを防止する方法や、図９に示すように、補強電線７に環状のフック４ｇを設けて、該フック４ｇをコンセント３と一体化したフック４ｈに係止して抜けを防止する方法が考えられる。
【００４３】
さらに、被転倒防止家具類６に設けられた張設機構８としては、図１０に示すように、家具類６の側面に突設されたフック８ｆに補強電線７を巻き付けて補強電線７を張った状態にするようにしてもよい。
【図面の簡単な説明】
【００４４】
【図１】本発明に係る家具類の転倒防止給電装置の概略構成図である。
【図２】本発明に係る家具類の転倒防止給電装置の躯体へのコンセントの固定方法を説明する側面図である。
【図３】本発明に係る家具類の転倒防止給電装置のコンセントの正面図である。
【図４】本発明に係る家具類の転倒防止給電装置のコンセントに差し込まれるプラグ及び該プラグに接続された補強電線の概略構成図である。
【図５】前記プラグの正面図である。
【図６】本発明に係る家具類の転倒防止給電装置の補強電線の張設機構が設けられた家具類の概略図である。
【図７】前記張設機構の概略構成図である。
【図８】コンセントとプラグとのロック機構の変形例を示す概略図である。
【図９】コンセントとプラグとのロック機構の他の変形例を示す概略図である。
【図１０】家具類に設けられた張設機構の変形例を示す概略図である。
【符号の説明】
【００４５】
１          家具類の転倒防止給電装置
２          躯体
２ａ        壁体
３          コンセント
３ａ        コンセントケース本体
３ｂ        プラグ側の連結面
３ｃ、３ｄ  孔
３ｆ        嵌合穴
４          ロック機構
４ａ        固定爪
４ｂ        係合穴
５          プラグ
５ａ        端子
５ｂ        アース端子
５ｃ        プラグケース本体
５ｄ、５ｅ  ハウジング
５ｆ        ボス部
６          被転倒防止家具類
７          補強電線
７ａ        給電線
７ｄ        アース線
７ｅ        補強用ケーブル
８          張設機構
８ａ        リール
８ｂ        回転ハンドル
８ｃ        回転防止爪
８ｄ        ストッパ
９          電力線
１０        固定機構
１０ａ      ベース板
１０ｂ      壁補強板
１０ｄ      コンセント固定爪
１０ｅ      コンセント用開口
１０ｇ      固定螺子
１０ｈ      化粧板
【図１】
2007229380.tif 000003
【図２】
2007229380.tif 000004
【図３】
2007229380.tif 000005
【図４】
2007229380.tif 000006
【図５】
2007229380.tif 000007
【図６】
2007229380.tif 000008
【図７】
2007229380.tif 000009
【図８】
2007229380.tif 000010
【図９】
2007229380.tif 000011
【図１０】
2007229380.tif 000012